(57)【要約】【課題】  一定のパターンで放送されるテレビ番組等の動画について、動画を飛ばして再生するための基点を確実に設定することができる録画再生装置を提供する。【解決手段】  ユーザーがリモコン４を操作して、スキップ区間の基点を指定する操作をすると、その操作があった操作点の近傍で、一の動画の画像が変化する変化点が検索される（Ｓ１４）。反射速度や操作ミスの影響により、操作タイミングが遅れることが考えられるためである。そして、Ｓ１４で検索された変化点を基点とする基点情報を、他の動画の動画情報に関連付けてＨＤＤ２１に記憶している。従って、このＨＤＤレコーダ１を用いると、一定のパターンで放送されるテレビ番組等の動画について、動画を飛ばして再生するための基点を、動画の画像の変化を捉えて確実に設定することができる。【選択図】  図３
2008118369.tif 000002
【特許請求の範囲】
【請求項１】
一定のパターンに従って放送される番組の動画について、前記動画の一部を飛ばして再生するスキップ再生が可能な録画再生装置であって、
再生の際に飛ばされるスキップ区間の始点や終点となる基点を指定する操作を受け付ける第１操作手段（４）と、
前記第１操作手段に対し前記基点を指定する操作があった場合、その操作があった操作点の近傍で、一の動画の画像が変化する変化点を検索する第１変化点検索手段と（Ｓ１４）、
この第１変化点検索手段で検索された前記変化点を前記基点とする基点情報を記憶する記憶手段（１０ｃ）と、
前記記憶手段に記憶された前記基点情報を、他の動画の動画情報に関連付けて記憶媒体（２１）に記憶する動画記憶手段（Ｓ７４）と
を備えることを特徴とする録画再生装置。
【請求項２】
請求項１に記載の録画再生装置において、
前記基点情報が示す前記基点の近傍で、前記他の動画の画像が変化する変化点を検索する第２変化点検索手段（Ｓ５８）を備え、
前記動画記憶手段（Ｓ７４）は、
前記第２変化点検索手段で検索された前記変化点を前記基点とする更新された前記基点情報を、前記他の動画の動画情報に関連付けて記憶媒体（２１）に記憶することを特徴とする録画再生装置。
【請求項３】
請求項１，２のいずれかに記載された録画再生装置において、
番組表に関するＥＰＧ情報を外部から取得する番組表取得手段（３、１１、１２）と、
前記番組表に表示される番組のうち、前記一の動画が属する番組については、前記スキップ再生が可能であることを示す指定番組表示を前記番組表中に行った画像を表示する番組表表示手段（Ｓ３２）と、
前記番組表中に表示された番組の中から、任意の番組を特定する操作を受け付ける第２操作手段（４）と
を備え、
前記動画記憶手段は、
前記指定番組表示がある番組が前記第２操作手段で特定された場合、前記他の動画の動画情報に前記基点情報を関連付けて、前記他の動画の動画情報及び前記基点情報を前記記憶媒体に記憶することを特徴とする録画再生装置。
【請求項４】
請求項３に記載された録画再生装置において、
前記番組表取得手段、前記番組表表示手段、及び、前記第２操作手段を備える第１装置と、
前記第１装置と通信可能に構成され、前記動画記憶手段を備える第２装置と
を備えることを特徴とする録画再生装置。
【請求項５】
請求項１〜４のいずれかに記載の録画再生装置において、
前記他の動画の再生中に、前記スキップ区間の前方の前記基点まで前記他の動画の再生が進んだことを検出したら、前記スキップ区間の後方の前記基点まで前記動画を飛ばすスキップ手段（Ｓ８６〜Ｓ９０）を備えることを特徴とする録画再生装置。
【発明の詳細な説明】
【技術分野】
【０００１】
本発明は、一定のパターンに従って放送される番組の動画について、動画の一部を飛ばして再生するスキップ再生が可能な録画再生装置に関する。
【背景技術】
【０００２】
現在、動画の一部を飛ばして再生するスキップ再生が可能な録画再生装置として、例えば、ＣＭを飛ばして再生することができる録画再生装置がある。
この録画再生装置では、テレビ番組の動画を録画する際に本放送部分とＣＭ部分との境界を認識して、この境界を、動画を飛ばして再生する際の基点として設定し、この基点を示す基点情報をテレビ番組の動画の動画情報とともに記憶していた。そして、テレビ番組の動画を再生するときには、その基点情報を元に、ＣＭ部分を飛ばして本放送部分だけを再生していた。
【０００３】
この録画再生装置において、本放送部分とＣＭ部分との境界の認識は、テレビ番組の動画について、その動画の音声の変化を捉えることによって行っていた。
具体的には、動画の動画情報には画像情報と音声情報とが含まれているが、このうち音声情報に基づいて、その動画の音声が、主音声のほかに副音声など多数の音声が含まれている状態から、主音声のみしか含まれていない状態に変化する部分を認識していた。あるいは、その動画の音声が、ステレオ音声からモノラル音声に変化する部分を認識していた（特許文献１）。
【０００４】
このようにしていたのは、一般に、テレビ番組の本放送部分の音声は多重音声あるいはモノラルであり、ＣＭ部分は主音声のみあるいはステレオである傾向にあったためである。
【特許文献１】特開平１０−６５９８８号公報（第５ページなど）
【発明の開示】
【発明が解決しようとする課題】
【０００５】
しかし、本放送部分の音声が、必ずしも多重音声やモノラル音声であるとは限らず、また、近年では、ＣＭ部分の音声も、必ずしも主音声のみやステレオ音声であるとは限らないことが多くなっている。
【０００６】
そのため、従来の録画再生装置は、本放送部分とＣＭ部分との境界を認識することができないことが多く、この傾向は近年顕著になってきている。
そこで、動画の画像の変化を捉えて、本放送部分とＣＭ部分との境界を認識することも考えられる。
【０００７】
しかし、本放送部分でも、動画の画像が頻繁に変化することが多いので、音声の変化を捉える方式から直ちに動画の変化を捉える方式に変更することはできなかった。
ところで、テレビ番組の放送形態をみると、テレビ番組は、一定のパターン（例えば、平日の同時刻にＣＭが挿入されたり、同じ曜日の同じ時刻にＣＭが挿入されたりする場合など）に従って放送されることが多く、ＣＭについても一定のパターンに従って本放送部分に挿入されることが多い。
【０００８】
そして、本放送部分とＣＭ部分との境界の前後の動画の画像は、本放送部分からＣＭ部分に動画の画像が変化する場合に比べて、大きく変化することがない。
そこで本発明では、一定のパターンに従って放送される番組の動画について、動画を飛ばして再生するための基点を、動画の画像の変化を捉えて確実に設定することができる録画再生装置を提供することを目的とする。
【課題を解決するための手段】
【０００９】
上記目的を達成するためになされた請求項１に記載の発明は、一定のパターンに従って放送される番組の動画について、前記動画の一部を飛ばして再生するスキップ再生が可能な録画再生装置であって、再生の際に飛ばされるスキップ区間の始点や終点となる基点を指定する操作を受け付ける第１操作手段（４）と、前記第１操作手段に対し前記基点を指定する操作があった場合、その操作があった操作点の近傍で、一の動画の画像が変化する変化点を検索する第１変化点検索手段と（Ｓ１４）、この第１変化点検索手段で検索された前記変化点を前記基点とする基点情報を記憶する記憶手段（１０ｃ）と、前記記憶手段に記憶された前記基点情報を、他の動画の動画情報に関連付けて記憶媒体（２１）に記憶する動画記憶手段（Ｓ７４）とを備えることを特徴とする。
【００１０】
この録画再生装置では、ユーザーが第１操作手段を操作して、再生の際に飛ばされるスキップ区間の始点や終点となる基点を指定する操作をすると、第１変化点検索手段により、その操作があった操作点の近傍で、一の動画の画像が変化する変化点が検索される。
【００１１】
このようにしているのは、ユーザーが基点を指定する操作をするタイミングが、人間の反射速度や操作ミスの影響により、ユーザーが基点を認識したタイミングよりも遅れることが考えられるためである。しかし、その遅れは、本放送部分とＣＭ部分との境界から画像があまり変化していない範囲での遅れであるので、本放送部分とＣＭ部分との境界を確実に検索できる程度の遅れである。そのため、第１変化点検索手段では、画像が変化する変化点を確実に検索することができる。
【００１２】
そして、この録画再生装置では、動画記憶手段が、第１変化点検索手段で検索された変化点を基点とする基点情報を、他の動画の動画情報に関連付けて記憶媒体（２１）に記憶している。
【００１３】
従って、本発明の録画再生装置を用いると、一定のパターン（例えば、平日の同時刻にＣＭが挿入されたり、同じ曜日の同じ時刻にＣＭが挿入されたりする場合など）に従って放送される番組の動画について、動画を飛ばして再生するための基点を、動画の画像の変化を捉えて確実に設定することができる。
[請求項２]
ところで、一定のパターンに従って放送される番組であれば、ほぼ同じタイミングでＣＭ等が入るが、ＣＭの変更など番組構成の変更で基点を設定すべき点が多少前後することがある。
【００１４】
そこで、請求項２に記載の録画再生装置のように、基点情報が示す基点の近傍で、他の動画の画像が変化する変化点を検索する第２変化点検索手段（Ｓ５８）を備え、動画記憶手段（Ｓ７４）は、第２変化点検索手段で検索された変化点を基点とする更新された基点情報を、他の動画の動画情報に関連付けて記憶媒体（２１）に記憶してもよい。
【００１５】
これによれば、番組構成の変更でＣＭが入る位置が多少前後することがあっても、他の動画に対し、他の動画に適合した基点を設定することができる。
[請求項３]
次に、請求項３に記載の録画再生装置のように、番組表に関するＥＰＧ情報を外部から取得する番組表取得手段（３、１１，１２）と、番組表に表示される番組のうち、一の動画に属する番組については、スキップ再生が可能であることを示す指定番組表示を番組表中に行った画像を表示する番組表表示手段（Ｓ３２）と、番組表中に表示された番組の中から、任意の番組を特定する操作を受け付ける第２操作手段（４）とを備え、動画記憶手段は、指定番組表示がある番組が第２操作手段で特定された場合、他の動画の動画情報に基点情報を関連付けて、他の動画の動画情報及び基点情報を記憶媒体に記憶するよう構成してもよい。
【００１６】
これによれば、指定番組表示がある番組の動画について録画すれば、その動画を再生するときにスキップ再生をすることができることを一目で把握することができる。また、指定番組表示がある番組の動画を録画すれば、自動的にその動画の動画情報に基点情報が付与され、その動画を再生するときに、スキップ再生をすることができる。
【００１７】
尚、請求項４に記載したように、番組表取得手段、及び、番組表表示手段、第２操作手段を、動画記憶手段とは別々に構成し、番組表取得手段等を備える第１装置と、動画記憶手段とを備える第２装置とを通信可能（無線、有線）に構成してもよい。この場合、第１装置は、携帯電話であることが好ましい。
[請求項５]
請求項５に記載の録画再生装置において、他の動画の再生中に、スキップ区間の前方の基点まで他の動画の再生が進んだことを検出したら、スキップ区間の後方の基点まで動画を飛ばすスキップ手段（Ｓ８６〜Ｓ９０）を備えることが好ましい。
【００１８】
この録画再生装置を用いると、基点情報を有する動画について、スキップ区間を飛ばして再生することができる。
【発明を実施するための最良の形態】
【００１９】
以下、本発明を実施するための最良の形態であるハードディスクレコーダについて、図面を用いて説明する。
ここで図１は、本実施形態のハードディスクレコーダのブロック図である。図２は、基本枠組の説明図で、（ａ）は基本枠組１５０、（ｂ）は番組枠１５１に番組表が表示された基本枠組１５０、（ｃ）は番組枠１５１に番組表、画像枠１５２に動画の画像が表示された基本枠組１５０である。図３は、中央制御装置１０のＲＡＭ１０ｃ及びメモリ１０ｄに記憶される情報の説明図である。
１．全体構成
本実施形態のハードディスクレコーダ１（以下、ＨＤＤレコーダ１と呼ぶ）には、図１に示すように、このＨＤＤレコーダ１から出力される動画の動画情報（画像情報と音声情報）の出力先となるテレビジョン受像機２（以下、テレビ２と呼ぶ）が接続される。
また、ＨＤＤレコーダ１には、地上波ディジタル放送の放送局（以下、放送局と略す）から送信された放送信号を受信するためのアンテナ３が接続される。
さらに、ＨＤＤレコーダ１には、このＨＤＤレコーダ１と赤外線による無線通信を行い、ＨＤＤレコーダ１を遠隔操作するためのリモートコントローラ４（以下、リモコン４と呼ぶ）が備えられている。
このＨＤＤレコーダ１は、装置全体を制御する中央制御装置１０を備えている。この中央制御装置１０は、コンピュータであり、ＣＰＵ１０ａ、ＲＯＭ１０ｂ、ＲＡＭ１０ｃ、メモリ１０ｄを備えている。
また、ＨＤＤレコーダ１は、ディジタルチューナ１１と、フロントエンド１２と、ＭＰＥＧ−２デコーダ１３と、ＯＳＤ回路１５と、合成回路１６と、Ｄ／Ａ変換器１７とを備えている。
さらにこのＨＤＤレコーダ１は、画像情報出力用の画像出力端子１８と、音声情報出力用の音声出力端子１９と、データ処理部２０と、ハードディスクドライブ２１（以下、ＨＤＤ２１と呼ぶ）と、リモコン受信部２２とを備えている。
２．各部構成
ディジタルチューナ１１は、各放送局から送信される放送信号を受信し、その受信した放送信号の中から特定のチャンネル（放送局）の放送信号を選択して出力する。本実施形態では、リモコン４で選局されたチャンネルに対応する放送信号がディジタルチューナ１１からフロントエンド１２に出力される。
【００２０】
フロントエンド１２は、ディジタルチューナ１１から入力された放送信号から動画に関する動画情報を抽出して、この動画情報をＭＰＥＧ−２デコーダ１３に出力する。
また、フロントエンド１２は、放送信号から番組表（Electronic Program Guide：
ＥＰＧ）に関するＥＰＧ情報を抽出して中央制御装置１０に出力する。このＥＰＧ情報には、例えば、番組名、番組の属性、番組の放送予定日、放送開始時刻、放送終了時刻、放送局のチャンネルなどの情報が含まれている。尚、番組の属性とは、例えば、番組の音声が、ステレオやモノラルや「２カ国語」音声であることを示す情報等である。
【００２１】
ＭＰＥＧ−２デコーダ１３は、動画情報が放送局から送信されたときに圧縮されているので、フロントエンド１２から入力された動画情報を復号する。そして、復号後の動画情報のうち、動画の画像に関する画像情報を合成回路１６に、動画の音声に関する音声情報をＤ／Ａ変換器１７に出力する。また、録画時は、復号後の動画情報をデータ処理部２０に出力する。
【００２２】
ＯＳＤ回路１５は、図２（ａ）に示すように、番組表を表示する番組枠１５１や動画を表示する画像枠１５２を有する基本枠組１５０の画像の画像情報等を格納している。
このＯＳＤ回路１５は、図２（ｂ）に示すように、中央制御装置１０の指示に基づいて、基本枠組の画像情報とＥＰＧ情報とから、基本枠組１５０の番組枠１５１に番組表が表示された番組表表示済画像を生成する。そして、このＯＳＤ回路１５は、図１に示すように、中央制御装置１０の指示に基づいて、ＭＰＥＧ−２デコーダ１３から合成回路１６への動画の画像情報の出力と同期させて、番組表表示済画像の画像情報を合成回路１６に出力する。
【００２３】
合成回路１６は、ＭＰＥＧ−２デコーダ１３から入力された動画の画像情報と、ＯＳＤ回路１５から入力された番組表表示済画像の画像情報とに基づいて、図２（ｃ）に示すように、基本枠組１５０の番組枠１５１に番組表、画像枠１５２に動画の画像が表示された合成画像を合成する。そして、その合成画像の画像情報をＤ／Ａ変換器１７に出力する。ただし、電子番組表を表示しないときには、合成回路１６は、中央制御装置１０による指示に従い、ＭＰＥＧ−２デコーダ１３から入力された動画の画像情報をそのままＤ／Ａ変換器１７に出力する。
【００２４】
Ｄ／Ａ変換器１７は、入力される画像情報及び音声情報がディジタル形式の情報なので、アナログ形式の画像情報及び音声情報に変換して、変換後の画像情報及び音声情報を画像出力端子１８と音声出力端子１９とを介してテレビ２に出力する。ＨＤＤレコーダ１側の画像出力端子１８、音声出力端子１９は、それぞれテレビ２側のＤ端子２３、音声入力端子２４とケーブルを介して接続されている。
【００２５】
データ処理部２０は、動画の録画時に、中央制御装置１０による制御の下、ＭＰＥＧ−２デコーダ１３により復号された動画情報をブロッキングしてＨＤＤ２１へ出力する。一方、データ処理部２０は、動画の再生時に、中央制御装置１０による制御の下、ＨＤＤ２１から出力された動画の動画情報のうち、画像情報を合成回路１６に出力し、音声情報をＤ／Ａ変換器１７に出力する。
【００２６】
ＨＤＤ２１は、データ処理部２０から入力された動画情報を記憶する情報記憶媒体である。本実施形態では、このＨＤＤ２１には、後述するスキップ情報や基点情報の他に、記憶された動画が属する番組の番組名その他の番組情報などが動画情報に関連付けられて記憶される。尚、番組情報は、ＥＰＧ情報を用いてもよいし、リモコン４から入力してもよい。
【００２７】
リモコン４は、各種のキー４０が備えられている。このリモコン４は、ユーザーによるキーの操作を受け付けると、その受け付けた操作に応じた各種操作信号を送信する。
リモコン受信部２２は、リモコン４から送信された操作信号を受信して、その操作信号を中央制御装置１０に出力する。中央制御装置１０は、リモコン受信部２２から入力された操作信号に基づいて、後述する処理や、その他の各種処理を実行して、ＨＤＤレコーダ１を制御する。例えば、リモコン４に対し選局操作がなされたら、選択された局（チャンネル）を示す操作信号が入力されるので、そのチャンネルの放送信号を出力するよう指示する制御信号をディジタルチューナ１１に出力する。すると、ディジタルチューナ１１は、選局されたチャンネルに対応する放送信号をフロントエンド１２に出力する。
【００２８】
ＣＰＵ１０ａは、ＲＯＭに記憶されたプログラムに基づいて各種処理を実行する。
ＲＯＭ１０ｂは、後述する各種プログラムを記憶する。
ＲＡＭ１０ｃは（本発明の記憶手段に相当）、後述する各種処理を実行するときに必要な情報を一時的に記憶する。
【００２９】
メモリ１０ｄは、ＨＤＤレコーダ１の電源が落とされても記憶された情報を保持する。
３．実施形態に係る録画再生装置の特徴的作動
次に、ＨＤＤレコーダ１の中央制御装置１０で実行される各種処理について説明する。
３．１．基点設定処理
この基点設定処理は、コマーシャルを指定する処理である。
【００３０】
ここで、図３は基点設定処理のフローチャートで、図４はこの基点設定処理で設定される基点を説明するための動画の概念図である。
図３に示された基点設定処理（Ｓ１）は、一の動画の再生中、あるいは、アンテナ３で受信した放送信号に基づく一の動画の録画中に行われる。
【００３１】
この基点設定処理（Ｓ１）では、まずＳ１０の処理が実行される。
Ｓ１０では、リモコン４に対しコマーシャルの始点や終点となる基点を指定する基点指定操作がなされたか否かが判定される。
【００３２】
この基点指定操作がなされると、図４に示すように、実際には、ユーザーが意図する基点よりも少し遅れたタイミングの点が特定される。
これは、ユーザーが、録画あるいは再生される一の動画を見ながらリモコン４を操作して基点を指定しようとしているため、人間の反射速度や操作ミスその他の影響により、リモコン４が操作されるタイミングが、基点よりも遅れてしまうからである。尚、このＳ１０で特定された点は、以後、操作点と呼ぶ。
【００３３】
このＳ１０で、基点指定操作があったと判定された場合は（Ｓ１０：ＹＥＳ）、図３に示すように、Ｓ１２の処理が実行され、基点指定操作されていないと判定されている場合は（Ｓ１０：ＮＯ）、Ｓ２０の処理が実行される。
【００３４】
Ｓ１２では、操作点を記憶する処理が行われる。
ＨＤＤレコーダ１では、一の動画を録画あるいは再生しているとき、その一の動画の録画・再生時間をカウントしている。そのため、このＳ１２では、リモコン４に対し基点指定操作がなされたタイミングでカウントされている録画・再生時間の時間情報を、操作点を示す操作点情報としてＲＡＭ１０ｃに記憶する処理が実行される。
【００３５】
尚、録画・再生時間は、例えば、スタート時を０とする時間をカウントしてもよいし、録画を開始した時刻をスタート時とする時間をカウントしてもよい。またカウントを行うことなく実時間を記憶しても良い。
【００３６】
このＳ１２の処理が終了すると、次にＳ１４の処理が実行される。
Ｓ１４では、Ｓ１２の処理によってＲＡＭ１０ｃに記憶された操作点の近傍で、録画・再生中の一の動画の形態が変化する変化点を検索する処理を実行する。
【００３７】
本実施形態では、コマーシャルを飛ばして放送番組の一の動画を再生するため、放送番組の一の動画中に含まれるＣＭの始点や終点を正確に把握する必要があるが、Ｓ１０で指定された操作点は前述したようにＣＭの始点や終点からはずれた位置である。
【００３８】
そして、本来指定されるべき点は、一の動画の画像や音声等の一の動画の形態が変化する点である。
そのため、Ｓ１４では、一の動画の形態が変化する変化点を検索している。
【００３９】
ところで、Ｓ１４では画像が変化する点を主に検索し、予備的に音声が変化する点を検索している。
このうち画像が変化したか否かは、例えば、放送番組が映画である場合、その映画の画像中には、映画の画像の上下に黒い部分が現れるので、黒い部分の大きさや割合が変化したか否かを検索してもよい。
【００４０】
また、画像が変化したか否かは、例えば、放送番組の本放送部分と、ＣＭ部分とでは、色や明るさなど画面全体が変化するので、画面全体が同時に変化したか否かを検索してもよい。例えば、１回前のフレームの数箇所〜数十箇所の明るさ、色、彩度をサンプリングし、今回も同様の箇所でサンプリングを行って、これらのサンプリング結果を比較して９０％以上の箇所で１０％以上変化していた場合に画面が大きく変化したと判断してもよい。また、この判断を１回置きにおこなってもよい。尚、フレームとは１つの画面を構成する単位を言う。
【００４１】
音声が変化したか否かは、例えば、主音声及び副音声を含む多重音声から主音声のみに変化したか否か、ステレオ音声から副音声に変化したか否かを検索してもよい。
このＳ１４が実行されると、操作点の所定時間前（例えば１０秒程度前）から、操作点までの間の、ＨＤＤ２１に記憶された録画・再生中の一の動画の画像情報が検索され、その一の動画の形態が変化する変化点が検索される。
【００４２】
そしてこのＳ１４の処理が終了すると、Ｓ１６の処理が実行される。
Ｓ１６では、Ｓ１４で検索された変化点を基点とし、この基点を示す基点情報を記憶する処理が実行される。
【００４３】
このＳ１６では、Ｓ１４で検索された変化点が、ユーザーが意図した基点であるとし、その変化点の録画・再生時間の時間情報を、基点を示す基点情報としてＲＡＭ１０ｃに記憶する処理が実行される。そして、このＳ１６の処理が終了すると、再びＳ１０の処理が実行される。
【００４４】
Ｓ２０では、一の動画の録画・再生を終了するか否かを判定する処理が実行される。
録画が終了したか否かは、リモコン４に対し録画を停止する操作がなされたか否かにより判定される。一方再生が終了したか否かは、リモコン４に対し録画を停止する操作がなされたか否かにより判定される。
【００４５】
そして、このＳ２０で、一の動画の録画・再生を終了すると判定された場合は（Ｓ２０：ＹＥＳ）、Ｓ２６の処理が実行され、一の動画の録画・再生を終了しないと判定された場合は、Ｓ２２の処理が実行される。
【００４６】
Ｓ２２では、ＣＭ部分を指定する操作がリモコン４に対してなされたか否かが判定される。
このＳ２２で、指定操作があったと判定された場合は（Ｓ２２：ＹＥＳ）、Ｓ２４の処理が実行され、指定操作がないと判定された場合は（Ｓ２２：ＮＯ）、再びＳ１０の処理が実行される。
【００４７】
Ｓ２４では、ＲＡＭ１０ｃに記憶された基点情報のうち、Ｓ２２の操作がなされたタイミングから間近い録画・再生時間を示す２つの基点間をＣＭ（スキップ部分）として設定する処理が実行される。
【００４８】
そして、このＳ２４で指定された２つの基点間がＣＭであることを示すスキップ情報がＲＡＭ１０ｃに記憶される。
このＳ２４の処理が終了すると、再びＳ１０の処理が実行される。
【００４９】
これらＳ１０〜Ｓ２４までの処理が繰り返し実行されることでＲＡＭ１０ｃには、複数の基点情報やスキップ情報が記憶される。
Ｓ２６では、この基点設定処理（Ｓ１）が実行されていたときに録画・再生されていた一の動画の動画情報に、Ｓ１０〜Ｓ２４の処理が実行されることによりＲＡＭ１０ｃに記憶されたスキップ情報および基点情報を関連させて、ＨＤＤ２１に記憶させる処理が実行される。そして、次にＳ２８の処理が実行される。
【００５０】
Ｓ２８では、Ｓ１０〜Ｓ２４の処理が実行されることによりＲＡＭ１０ｃに記憶されたスキップ情報および基点情報と、この基点設定処理（Ｓ１）が実行されていたときに録画・再生されていた一の動画の番組情報（番組名、開始時間、終了時間等）とを関連させた基本スキップ情報を、メモリ１０ｄに記憶させる処理が実行される。
【００５１】
尚、番組情報については、一の動画を録画しているときは、その一の動画の番組情報がＥＰＧ情報として中央制御装置１０に入力されるので、この番組情報と、スキップ情報及び基点情報とを関連付けて記憶してもよい。一の動画を再生しているときは、再生している一の動画の番組情報がＨＤＤ２１に記憶されているので、ＨＤＤ２１からその一の動画の番組情報を取得し、この番組情報と、スキップ情報及び基点情報とを関連付けて記憶してもよい。
【００５２】
このＳ２８が実行されると、本処理（Ｓ１）は終了する。
３．２．予約録画に関する処理
次に、フロントエンド１２で抽出されたＥＰＧ情報を用いて、予約録画に関する処理について説明する。
【００５３】
この予約録画に関する処理は、予約録画を設定する予約設定処理（Ｓ３）と、予約設定処理で設定された予約に基づいて予約録画を行う予約録画処理（Ｓ５）とがある。
ここで、図５は、予約設定処理のフローチャート、図６は、予約設定処理が実行される際に、テレビ２に出力される画像の模式図である。図７は、予約録画処理のフローチャートである。
３．２．１．予約設定処理
まず、予約設定処理（Ｓ３）について説明する。
【００５４】
この予約設定処理（Ｓ３）は、ＨＤＤレコーダ１の電源がＯＮされると開始され、まずＳ３０の処理が実行される。
Ｓ３０では、リモコン４に対し予約録画の設定をする操作がなされたか否か判定される。
【００５５】
このＳ３０で、予約録画を実行することを指示する操作があったと判定された場合は（Ｓ３０：ＹＥＳ）、Ｓ３２の処理が実行され、操作されていないと判定されている場合は（Ｓ３０：ＮＯ）、待機する処理が実行される。
【００５６】
Ｓ３２では、図６に示すように、基本枠組１５０の番組枠１５１に番組表、画像枠１５２に動画の画像が嵌め込まれた合成画像をテレビ２に表示する処理を実行する。
このＳ３２が実行されるとき、中央制御装置１０は、ＯＳＤ回路１５にＥＰＧ情報を送信するとともに、合成回路１６を制御し、合成回路１６からは、番組表と動画の画像とが合成された画像を出力させる。
【００５７】
このとき、中央制御装置１０は、ＯＳＤ回路１５に送られるＥＰＧ情報に含まれる番組と同じ番組の番組情報が関連付けられた基本スキップ情報がメモリ１０ｄに記憶されていないか、検索する処理が実行される。そして、基本スキップ情報がＲＡＭ１０ｃに記憶されている番組には、その旨を示すアイコンを番組表中に表示するよう指示する指示情報がＯＳＤ回路１５に出力される。そのため、合成回路１６から出力される合成画像のうち、指示情報によってアイコンを表示するよう指示された番組には、図６に示すように、アイコン１５３が表示される。
【００５８】
また、このとき、リモコン４の操作に従って移動するポインタ１５４もテレビ２に表示される。本実施形態では、リモコン４の図示しない操作ボタンを使って、このポインタ１５４を番組枠１５１内で移動させることができる。そして、リモコン４の図示しない決定ボタンを押下すると、ポインタ１５４が停止した部分に表示された番組を、録画を予約する番組として選択する選択操作を行うことができる。
【００５９】
このＳ３２の処理が終了すると、Ｓ３４の処理が実行される。
Ｓ３４では、番組表の中から録画を予約する番組を選択する選択操作がなされたか否かが判定される。
【００６０】
このＳ３４で、選択操作がなされたと判定された場合は（Ｓ３４：ＹＥＳ）、Ｓ３６の処理が実行され、選択操作がなされていないと判定されている場合は（Ｓ３４：ＮＯ）、Ｓ３８の処理が実行される。
【００６１】
Ｓ３６では、Ｓ３４で選択操作された番組の番組情報を、録画を予約する録画予約情報として、ＲＡＭ１０ｃに記憶する処理が実行される。
このとき、アイコン１５３が表示された番組が選択された場合は、録画予約情報に加えて、基本スキップ情報があることを示す指示情報も記憶される。
【００６２】
そして、Ｓ３６が終了すると、Ｓ３８の処理が実行される。
Ｓ３８では、リモコン４に対し本処理（Ｓ３）の終了を指示する操作がなされたか否か判定される。
【００６３】
このＳ３８で、本処理（Ｓ３）の終了を指示する操作があったと判定された場合は（Ｓ３８：ＹＥＳ）、本処理（Ｓ３）は終了され、操作されていないと判定されている場合は（Ｓ３８：ＮＯ）、再びＳ３４の処理が実行される。
３．２．２．予約録画処理
次に、予約録画処理（Ｓ５）について説明する。
【００６４】
本処理（Ｓ５）は、予約設定処理（Ｓ３）で予約録画が設定されている場合に実行される。
この予約録画処理（Ｓ５）が開始されると、まず、Ｓ５０の処理が実行される。
【００６５】
Ｓ５０では、録画が予約された番組の録画の開始時間に近づいたか否かを判定する処理が実行される。本実施形態のＨＤＤレコーダ１では、中央制御装置１０内で時刻が計時されているので、このＳ５０では、その計時された時刻が、ＲＡＭ１０ｃに記憶された録画予約情報の開始時間になったか否かが判定される。
【００６６】
この判定（Ｓ５０）で、番組の開始時間になったと判定されたら（Ｓ５０：ＹＥＳ）、録画を開始する処理（Ｓ５２）が実行され、引き続いてＳ５４の処理が実行される。一方、番組の開始時間になっていないと判定されている間は（Ｓ５０：ＮＯ）、待機される。
【００６７】
Ｓ５４では、録画予約情報に関連付けられて指示情報がＲＡＭ１０ｃに記憶されていないか否かが判定される。
この判定（Ｓ５４）で、指示情報がＲＡＭ１０ｃに記憶されていると判定された場合は（Ｓ５４：ＹＥＳ）、Ｓ５５の処理が実行され、記憶されていないと判定された場合は（Ｓ５４：ＮＯ）、Ｓ７０の処理が実行される。
【００６８】
Ｓ５５では、録画予約情報に一致する番組情報が関連付けられた基本スキップ情報をメモリ１０ｄから検索する処理が実行され、この基本スキップ情報がＲＡＭ１０ｃに記憶される。このＳ５５の処理が終了すると、次にＳ５６の処理が実行される。
【００６９】
Ｓ５６では、Ｓ５５の処理でＲＡＭ１０ｃに記憶された基本スキップ情報に基づいて、Ｓ５２で録画が開始された番組の他の動画の録画時間が、基点に一致したか否かを判定する処理が実行される。
【００７０】
この判定（Ｓ５６）で、番組の他の動画の録画時間が基点に一致すると判定されたら（Ｓ５６：ＹＥＳ）、Ｓ５８において、この基点の近傍で、録画中の他の動画の形態が変化する変化点を検索する処理が実行される。他の動画の変化点の検索方法は、Ｓ１４と同様である。
【００７１】
Ｓ６０では、Ｓ５８で検索された変化点を、Ｓ５２の処理で録画を開始した他の動画の基点とし、この基点を示す基点情報を、現在録画している他の動画の基点情報としてＲＡＭ１０ｃに記憶する処理が実行される。引き続いてＳ６２が実行される。
【００７２】
Ｓ６２では、このＳ６０で更新された基点の基点情報に基づいて、更新されたスキップ情報を、現在録画している他の動画のスキップ情報としてＲＡＭ１０ｃに記憶する処理が実行される。
【００７３】
Ｓ６２の処理が終了すると、再びＳ５６の処理が実行される。そして、この判定（Ｓ５６）で、番組の録画時間が基点に一致しないと判定されたら（Ｓ５６：ＮＯ）、Ｓ７２の処理が実行される。
【００７４】
Ｓ７０及びＳ７２では、中央制御装置１０で計時されている時刻が録画予約情報の終了時間となったか否かが判定される。この判定で終了時間となったと判定された場合は（Ｓ７０，Ｓ７２：ＹＥＳ）、Ｓ７４の処理が実行される。一方、終了時間になっていないと判定された場合は、Ｓ７０では（Ｓ７０；ＮＯ）、待機され、Ｓ７２では（Ｓ７２：ＮＯ）、再びＳ５６の判定が実行される。
【００７５】
Ｓ７４では、Ｓ５４で指示情報があると判定されている場合は、本処理（Ｓ５）で録画された他の動画の動画情報に、Ｓ５６〜Ｓ６２の処理でＲＡＭ１０ｃに記憶された基点情報及びスキップ情報からなる更新スキップ情報を関連付けて、ＨＤＤ２１に記憶させる処理が実行される。また、このとき、動画情報に番組情報も関連付けて記憶される。
【００７６】
一方、Ｓ５４で指示情報がないと判定されている場合は、本処理（Ｓ５）で録画された他の動画の動画情報を、番組情報を関連付けてＨＤＤ２１に記憶させる処理が実行される。
【００７７】
そして、このＳ７４の処理が終了すると、本処理（Ｓ５）が終了する。
３．３．再生処理
次に、ＨＤＤ２１に記憶された動画（一の動画と他の動画を含む）を再生するときに実行される再生処理について説明する。
【００７８】
ここで、図８は、再生処理のフローチャートである。
この再生処理８は、動画の再生を開始する操作がリモコン４に対してなされると開始され、まずＳ８０の処理が実行される。
【００７９】
Ｓ８０では、スキップ再生を実行することを指示する操作がリモコン４に対してなされたか否かを判定する処理が実行される。
このＳ８０で、指示操作があったと判定された場合は（Ｓ８０：ＹＥＳ）、Ｓ８２の処理が実行され、指示操作されていないと判定されている場合は（Ｓ８０：ＮＯ）、待機する処理が実行される。
【００８０】
Ｓ８２では、この再生処理８が実行されているときに再生されている動画の動画情報に、基本スキップ情報又は更新スキップ情報が関連付けられてＨＤＤ２１に記憶されているか否かが判定される。
【００８１】
この判定（Ｓ８２）で、関連付けられていると判定された場合は（Ｓ８２：ＹＥＳ）、Ｓ８４の処理を実行し、関連付けられていないと判定された場合は（Ｓ８２：ＮＯ）、Ｓ９４処理を実行する。
【００８２】
Ｓ８４では、基本スキップ情報又は更新スキップ情報の基点情報に基づいて、再生している動画が基点に到達したか否かが判定される。
この判定（Ｓ８４）は、基点情報が動画の再生時間で表されているので、動画の再生時間が、基点情報が示す再生時間に一致したか否かにより判定される。
【００８３】
この判定（Ｓ８４）で、再生している動画が基点に到達したと判定された場合は（Ｓ８４：ＹＥＳ）、Ｓ８６の処理が実行され、到達していないと判定された場合は（Ｓ８６：ＮＯ）、再生している動画が基点に到達するまで待機する処理が実行される。
【００８４】
Ｓ８６では、基本スキップ情報又は更新スキップ情報のスキップ情報に基づいて、Ｓ８４の判定に利用された基点が、スキップ部分の始点か否かを判定する。
この判定（Ｓ８６）で、Ｓ８４の判定に利用された基点が、スキップ部分の始点であると判定された場合は（Ｓ８６：ＹＥＳ）、Ｓ８８の処理が実行され、スキップ部分の始点ではないと判定された場合は（Ｓ８６：ＮＯ）、Ｓ９２の処理が実行される。
【００８５】
Ｓ８８では、動画を早送りする処理が実行され、引き続いてＳ９０の処理が実行される。
Ｓ９０では、その早送りしている動画の再生時間がスキップ部分の終点である基点と一致するか判定する処理が実行される。
【００８６】
この判定（Ｓ９０）で、再生している動画が終点に到達したと判定された場合は（Ｓ９０：ＹＥＳ）、Ｓ９２の処理が実行され、到達していないと判定された場合は（Ｓ９０：ＮＯ）、再生している動画が終点に到達するまで待機する処理が実行される。
【００８７】
Ｓ９２では、動画の再生が終了したかいなかの判定が実行される。
この判定（Ｓ９２）で、再生が終了していなければ（Ｓ９２：ＮＯ）、再びＳ８４の処理が実行され、再生が終了していれば（Ｓ９２：ＹＥＳ）、本処理（Ｓ８）は終了する。
【００８８】
Ｓ９４では、動画の再生が終了したかいなかの判定が実行される。
この判定（Ｓ９４）で、再生が終了していなければ（Ｓ９４：ＮＯ）、待機する処理が実行され、再生が終了していれば（Ｓ９４：ＹＥＳ）、本処理（Ｓ８）は終了する。
【００８９】
尚、動画を早送りする処理（Ｓ８６〜Ｓ９０）では、始点から終点の間の画像を表示せず、始点から終点まで画像が直接飛ぶようにしてもよいし、始点から終点までの画像を、早送りしている画像を表示しながら飛ぶようにしてもよい。後者の場合、画像が表示されるので、基点が正しい位置に設定されているか、確認することができる。また、終点の３０秒前まで飛んで、終点まで高速早送りしてもよい。
４．実施形態に係るＨＤＤレコーダの特徴
このＨＤＤレコーダ１では、ユーザーがリモコン４を操作して、再生の際に飛ばされるスキップ区間の始点や終点となる基点を指定する操作をすると、Ｓ１４の処理により、その操作があった操作点の近傍で、一の動画の画像が変化する変化点が検索される。
【００９０】
そして、このＨＤＤレコーダ１では、Ｓ２６の処理により、Ｓ１４の処理で検索された変化点を基点とする基点情報を、一の動画と同じ番組に属する他の動画の動画情報に関連付けてＨＤＤ２１に記憶している。
【００９１】
従って、本実施形態のＨＤＤレコーダ１を用いると、一定のパターン（例えば、平日の同時刻にＣＭが挿入されたり、同じ曜日の同じ時刻にＣＭが挿入されたりする場合など）に従って放送される番組の動画について、動画を飛ばして再生するための基点を、動画の画像の変化を捉えて確実に設定することができる。
【００９２】
ところで、同一番組であれば、ほぼ同じタイミングでＣＭ等が入るが、ＣＭの変更など番組構成の変更で基点を設定すべき点が多少前後することがある。
この点本実施形態では、基点情報が示す基点の近傍で、他の動画の画像が変化する変化点を検索するＳ５８の処理を実行し、Ｓ７４では、Ｓ５８の処理で検索された変化点を基点とする更新された基点情報を、他の動画の動画情報に関連付けてＨＤＤ２１に記憶している。そのため、番組構成の変更でＣＭが入る位置が多少前後することがあっても、他の動画に対し、他の動画に適合した基点を設定することができる。
【００９３】
次に、本実施形態のＨＤＤレコーダ１では、番組表に関するＥＰＧ情報を外部から取得し、番組表に表示される番組のうち、一の動画に関連する番組については、スキップ再生が可能であることを示すアイコン１５３を番組表中に行った画像を表示している。また、番組表中に表示された番組の中から、任意の番組を特定する操作を受け付け、アイコン１５３がある番組が特定された場合、他の動画の動画情報に基点情報を関連付けて、他の動画の動画情報及び基点情報をＨＤＤ２１に記憶するよう構成されている。
【００９４】
これによれば、アイコン１５３がある番組の動画について録画すれば、その動画を再生するときにスキップ再生をすることができることを一目で把握することができる。また、指定番組表示がある番組の動画を録画すれば、自動的にその動画の動画情報に基点情報が付与され、その動画を再生するときに、スキップ再生をすることができる。
【００９５】
さらに、本実施形態のＨＤＤレコーダ１は、他の動画の再生中に、スキップ区間の前方の基点まで他の動画の再生が進んだことを検出したら、スキップ区間の後方の基点まで動画を飛ばす処理を行っている（Ｓ８６〜Ｓ９０）。そのため、このＨＤＤレコーダ１を用いると、基点情報を有する動画について、スキップ区間を飛ばして再生することができる。
５．実施形態と発明特定事項との対応関係
本実施形態のハードディスクレコーダ１は本発明の録画再生装置に相当し、リモコン４は第１操作手段及び第２操作手段に相当し、Ｓ７４の処理は動画記憶手段に相当し、アンテナ３、ディジタルチューナ１１、フロントエンド１２は番組表取得手段に相当する。
【００９６】
また、本実施形態のＳ３２で行われる処理は本発明の番組表表示手段に相当し、Ｓ８６〜Ｓ９０の処理は本発明のスキップ手段に相当し、ＲＡＭ１０ｃは記憶手段に相当する。
６．その他の実施形態
Ｓ３の予約設定処理を、ＨＤＤレコーダ１と通信可能な携帯電話でおこなってもよい。
【００９７】
この場合、携帯電話は、放送信号を受信して、その放送信号の中から番組表に関するＥＰＧ情報を取得する番組表取得装置を備えるとよい。そして、この場合、携帯電話のモニタには、番組表に表示される番組のうち、基点情報を作成する元となった一の動画に関連する番組については、スキップ再生が可能であることを示すアイコン１５３を番組表中に行った画像を表示するとよい。さらに、番組表中に表示された番組の中から、任意の番組を特定する操作を受け付ける操作装置を備えるとよい。
【００９８】
そして、この携帯電話で、番組を指定すると、番組を指定した情報がＨＤＤレコーダ１に送信され、ＨＤＤレコーダ１では、その番組の動画を録画する処理を実行するように構成してもよい。
【００９９】
本実施形態では、ＨＤＤ２１を備えたＨＤＤレコーダ１について説明したが、ＤＶＤ（Digital Versatile Disc）レコーダでもよい。また、ＨＤＤレコーダ１はパソコンでもよい。
【０１００】
本実施形態では、一の動画に基づいてＨＤＤレコーダ１で作成した基点情報やスキップ情報を作成したが、外部（業者や、サーバ）からこれらの情報を取得してもよい。そして、この外部から取得した基点情報やスキップ情報を、その後録画した他の動画に付与するようにしてもよい。また、この基点情報やスキップ情報を用いて、Ｓ５の処理により、他の動画に適合した基点情報やスキップ情報を付与するようにしてもよい。
【０１０１】
本実施形態では、同じ番組に属する動画を録画する場合について説明したが、同じパターンで放送される番組であれば、異なる番組であってもよい。
本実施形態では、内部で作成した基点情報やスキップ情報を使用したが、これらを外部から取得して使用してもよい。
【図面の簡単な説明】
【０１０２】
【図１】本実施形態のハードディスクレコーダ１のブロック図である。
【図２】各種画像の説明図である。（ａ）は基本枠組１５０（ｂ）は番組枠１５１に番組表が表示された基本枠組１５０（ｃ）は番組枠１５１に番組表、画像枠１５２に動画の画像が表示された基本枠組１５０
【図３】基点設定処理のフローチャートである。
【図４】基点設定処理で設定される基点を説明するための動画の概念図である。
【図５】予約設定処理のフローチャートである。
【図６】予約設定処理が実行される際に、テレビ２に出力される画像の模式図である。
【図７】予約録画処理のフローチャートである。
【図８】再生処理のフローチャートである。
【符号の説明】
【０１０３】
１…ハードディスクレコーダ（ＨＤＤレコーダ）、２…テレビジョン受像機（テレビ）、３…アンテナ、４…リモートコントローラ、８…再生処理、１０…中央制御装置、１０ｄ…メモリ、１１…ディジタルチューナ、１２…フロントエンド、１３…ＭＰＥＧ−２デコーダ、１５…ＯＳＤ回路、１６…合成回路、１７…Ｄ／Ａ変換器、１８…画像出力端子、１９…音声出力端子、２０…データ処理部、２１…ハードディスクドライブ、２２…リモコン受信部、２３…Ｄ端子、２４…音声入力端子、４０…キー、１５０…基本枠組、１５１…番組枠、１５２…画像枠、１５３…アイコン、１５４…ポインタ
【図１】
2008118369.tif 000003
【図２】
2008118369.tif 000004
【図３】
2008118369.tif 000005
【図４】
2008118369.tif 000006
【図５】
2008118369.tif 000007
【図６】
2008118369.tif 000008
【図７】
2008118369.tif 000009
【図８】
2008118369.tif 000010